(57)【要約】【課題】ユーザがファイル名またはサムネイルのみでは内容を把握することが難しい画像ファイルであっても、一見してその内容を把握することができる画像再生技術の実現。【解決手段】記憶媒体に記録された画像ファイルを再生する画像再生装置であって、前記記憶媒体から画像ファイルを取得する取得手段と、前記取得手段により取得した画像ファイルが、予定された再生順序を有する画像ファイルである文書画像ファイルか否かを判定する判定手段と、前記取得手段により取得した画像ファイルを一覧表示する表示手段と、を有し、前記表示手段は、一覧表示された画像ファイルが前記文書画像ファイルである場合、当該文書画像ファイルの近傍に第１のインデックス情報を表示し、前記文書画像ファイルではない場合、当該画像ファイルの近傍に前記第１のインデックス情報とは異なる第２のインデックス情報を表示する。【選択図】図１０
2009282633.tif 000002
【特許請求の範囲】
【請求項１】
記憶媒体に記録された画像ファイルを再生する画像再生装置であって、
前記記憶媒体から画像ファイルを取得する取得手段と、
前記取得手段により取得した画像ファイルが、予定された再生順序を有する画像ファイルである文書画像ファイルか否かを判定する判定手段と、
前記取得手段により取得した画像ファイルを一覧表示する表示手段と、を有し、
前記表示手段は、一覧表示された画像ファイルが前記文書画像ファイルである場合、当該文書画像ファイルの近傍に第１のインデックス情報を表示し、前記文書画像ファイルではない場合、当該画像ファイルの近傍に前記第１のインデックス情報とは異なる第２のインデックス情報を表示することを特徴とする画像再生装置。
【請求項２】
前記文書画像ファイルは、複数のページからなる文章ファイルを１ページずつ画像ファイルとして変換することにより生成されることを特徴とする請求項１に記載の画像再生装置。
【請求項３】
前記判定手段は、前記画像ファイルから属性情報を取得し、取得した属性情報を用いて画像ファイルを判定することを特徴とする請求項１に記載の画像再生装置。
【請求項４】
前記画像ファイルは、前記文書画像ファイルと、予定された再生順序を持たない画像ファイルである写真画像ファイルとを含み、
前記記憶媒体には、前記文書画像ファイルと前記写真画像ファイルとが混在して記録されていることを特徴とする請求項１乃至３のいずれか１項に記載の画像再生装置。
【請求項５】
前記表示手段は、一覧表示される画像ファイルが前記文書画像ファイルならば前記第１のインデックス情報としてタイトルを一覧表示し、前記文書画像ファイルでなければ前記第２のインデックス情報としてファイル名を一覧表示することを特徴とする請求項１乃至４のいずれか１項に記載の画像再生装置。
【請求項６】
前記表示手段は、前記取得手段により取得した画像ファイルのサムネイルを一覧表示し、
前記文書画像ファイルならば前記第１のインデックス情報としてタイトルを前記サムネイルの近傍に表示し、前記文書画像ファイルでなければ前記第２のインデックス情報としてファイル名を前記サムネイルの近傍に表示することを特徴とする請求項１乃至４のいずれか１項に記載の画像再生装置。
【請求項７】
前記文書画像ファイルのタイトルは、当該文書画像ファイルのヘッダに含まれることを特徴とする請求項５又は６に記載の画像再生装置。
【請求項８】
前記文書画像ファイルのタイトルは、前記文書画像ファイルのインデックスファイルに含まれることを特徴とする請求項５又は６に記載の画像再生装置。
【請求項９】
前記表示手段は、前記文書画像ファイルのタイトルが前記ヘッダ又は前記インデックスファイルに含まれていない場合、当該タイトルに代えて前記文書画像ファイルのファイル名から拡張子を除いた文字列を表示することを特徴とする請求項７又は８に記載の画像再生装置。
【請求項１０】
前記表示手段は、前記文書画像ファイルのタイトルが前記ヘッダ又は前記インデックスファイルに含まれていない場合、当該タイトルに代えて前記文書画像ファイルが格納されたディレクトリ名と前記文書画像ファイルのファイル名から拡張子を除いた文字列から構成される文字列を表示することを特徴とする請求項７又は８に記載の画像再生装置。
【請求項１１】
記憶媒体に記録された画像ファイルを再生する画像再生装置の制御方法であって、
前記記憶媒体から画像ファイルを取得する取得工程と、
前記取得工程により取得した画像ファイルが、予定された再生順序を有する画像ファイルである文書画像ファイルか否かを判定する判定工程と、
前記取得工程により取得した画像ファイルを一覧表示する表示工程と、を有し、
前記表示工程では、一覧表示された画像ファイルが前記文書画像ファイルである場合、当該文書画像ファイルの近傍に第１のインデックス情報を表示し、前記文書画像ファイルではない場合、当該画像ファイルの近傍に前記第１のインデックス情報とは異なる第２のインデックス情報を表示することを特徴とする制御方法。
【請求項１２】
請求項１１に記載の制御方法を画像再生装置のコンピュータに実行させるためのプログラム。
【発明の詳細な説明】
【技術分野】
【０００１】
本発明は、異なる属性を持つ画像ファイルを再生する画像再生技術に関する。
【背景技術】
【０００２】
プレゼンテーション等においては、視聴者が視覚的にも理解できるようＰＣ（パーソナルコンピュータ）で作成したプレゼンテーション用の文章データをプロジェクタ等で再生しつつ説明するのが一般的である。更に、文章データを取り扱うことができるアプリケーションを内蔵したプロジェクタであれば、文章データが格納された記録メディアを接続し、プロジェクタのＵＩ画面により画像データの選択や再生を行ってプレゼンテーションを行うことができる。
【０００３】
ここで、ユーザは、予めどの画像を再生するかをＵＩ画面を見ながら選択しておく必要がある。特許文献１には、記録メディアに格納されているファイルを読み出す際に画像再生装置にファイルのサムネイルを一覧表示するとともに、文章名、備考、作成年月日等を表示する技術が記載されている。これにより目的のファイルを選択することが可能である。
【０００４】
また、プレゼンテーションソフトで作成したファイルにおける、いわゆるスライドを画像ファイルに変換する方法も知られている。この方法によれば、プレゼンテーションソフトを取り扱えない機器でも、変換した画像データを順次再生することでプレゼンテーションを実行することができる。
【０００５】
画像ファイルに変換されたプレゼンテーション用のファイルが格納された記録メディアをプロジェクタに接続した際に、プロジェクタが投影する画面の一例を図２２に示す。
【０００６】
２２０１には、画像ファイルのファイル名の一覧が表示される。そして、ユーザ操作によりファイル名が選択されると、ファイル名に対応した画像データ及びその属性情報が読み出され、領域２２０２、２２０３に表示される。
【０００７】
また、プロジェクタがプレゼンテーション用の画像ファイルを一覧表示した場合の一例を図２３に示す。
【０００８】
この場合は、２３０１Ａ〜２３０９Ａに画像データのサムネイルが表示され、各サムネイルの近傍に対応するファイル名が表示される。
【特許文献１】特開平０５−０４６６７６号公報
【発明の開示】
【発明が解決しようとする課題】
【０００９】
しかしながら、図２２に示す例では、領域２２０１にファイル名が表示されるにすぎないため、ユーザは一見して各画像ファイルの内容を把握することができず、不便であった。
【００１０】
また、図２３のような一覧表示において、カメラなどで撮影された画像データについては、ユーザはサムネイルを見ればどのような写真なのか大まかに把握することが可能である。ところが、文章ファイルから変換された画像データに変換したものの場合には細かな文字が多く含まれている場合が多い。したがって、これらを縮小したサムネイル２３０１Ａ〜２３０９Ａを表示すると文字が潰れてしまい内容を把握することが困難となる。
【課題を解決するための手段】
【００１１】
上記課題のいずれかを解決するために、本発明に係る画像再生装置は、記憶媒体に記録された画像ファイルを再生する画像再生装置であって、前記記憶媒体から画像ファイルを取得する取得手段と、前記取得手段により取得した画像ファイルが、予定された再生順序を有する画像ファイルである文書画像ファイルか否かを判定する判定手段と、前記取得手段により取得した画像ファイルを一覧表示する表示手段と、を有し、前記表示手段は、一覧表示された画像ファイルが前記文書画像ファイルである場合、当該文書画像ファイルの近傍に第１のインデックス情報を表示し、前記文書画像ファイルではない場合、当該画像ファイルの近傍に前記第１のインデックス情報とは異なる第２のインデックス情報を表示する。
【００１２】
また、本発明は、記憶媒体に記録された画像ファイルを再生する画像再生装置の制御方法であって、前記記憶媒体から画像ファイルを取得する取得工程と、前記取得工程により取得した画像ファイルが、予定された再生順序を有する画像ファイルである文書画像ファイルか否かを判定する判定工程と、前記取得工程により取得した画像ファイルを一覧表示する表示工程と、を有し、前記表示工程では、一覧表示された画像ファイルが前記文書画像ファイルである場合、当該文書画像ファイルの近傍に第１のインデックス情報を表示し、前記文書画像ファイルではない場合、当該画像ファイルの近傍に前記第１のインデックス情報とは異なる第２のインデックス情報を表示する。
【発明の効果】
【００１３】
本発明によれば、ユーザはファイル名またはサムネイルのみでは内容を把握することが難しい画像ファイルであっても、一見してその内容を把握することが可能となる。
【発明を実施するための最良の形態】
【００１４】
以下に、添付図面を参照して本発明を実施するための最良の形態について詳細に説明する。
【００１５】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１６】
［第１の実施形態］
図１は、本発明に係る実施形態の画像再生装置の構成を示す図である。
【００１７】
１００は液晶プロジェクタである。１１８は液晶プロジェクタ１００の投射レンズであり、スクリーン１１９に投射を行い、スクリーン１１９に画像やＵＩ（ユーザインタフェース）画面を表示する。投射レンズ１１８は複数枚のレンズから構成され、光学ズーム／フォーカス調整等を行うことが可能である。
【００１８】
１０６は外部機器とＵＳＢ接続するためのＵＳＢ Ｉ／Ｆである。２００はＵＳＢメモリであり、液晶プロジェクタ１００はＵＳＢ Ｉ／Ｆ１０６を介してＵＳＢメモリ２００とＵＳＢ接続が可能となる。４００はリモートコントローラ（以下、リモコン）であり、液晶プロジェクタ１００はリモコン受光部１２０を介して、リモコン４００の操作を赤外線信号として受信可能である。なお、本実施形態で構築するシステムの通信媒体は、有線・無線のＬＡＮやＢｌｕｅｔｏｏｔｈ等でもよく、ここで例示するシステムの形態に限定されるものではない。
【００１９】
本実施形態では、ＵＳＢメモリ２００はマスストレージクラスをサポートし、液晶プロジェクタ１００はＵＳＢ Ｉ／Ｆ１０６を介してマスストレージクラス及びＰｉｃｔＢｒｉｄｇｅをサポートするものとする。液晶プロジェクタ１００にＵＳＢメモリ２００やデジタルカメラを接続した際、マスストレージのプロトコルで通信を開始する。これにより、液晶プロジェクタ１００はＵＳＢメモリ２００やデジタルカメラに記録されているデータを読み出し可能である。
【００２０】
なお、本実施形態では外部ストレージとしてＵＳＢメモリを適用しているが、本発明は外部ストレージをＵＳＢメモリに限定するものではなく、例えば、カードリーダ等の画像データ保持機能を持つデバイスでも実現可能である。
【００２１】
また、ＵＳＢメモリ２００をマスストレージクラスデバイスとして認識しているが、本発明は外部ストレージを認識する方式を、これに限定するものではない。
【００２２】
また、本発明は上記のプロトコルに限定されるものではなく、例えば、液晶プロジェクタ１００はＰＴＰプロトコルをサポートしても構わない。
【００２３】
また、本発明は液晶プロジェクタ１００に限定されるものではなく、例えばＰＣやテレビジョンの表示デバイスによっても実現可能である。
【００２４】
ＵＳＢメモリ２００には、デジタルカメラ等によって撮影された画像ファイル（以下、写真画像ファイル）と、ドキュメント作成アプリケーションで作成した文章ファイルを１ページずつ変換した画像ファイル（以下、文書画像ファイル）とが記録されている。本実施形態でいうドキュメント作成アプリケーションで作成した文章ファイルとは、例えばワープロソフト、表計算ソフト、プレゼンテーション作成ソフトなどで作成したファイルが含まれる。
【００２５】
ここで、写真画像ファイルを構成するデータ群を写真画像データ、文書画像ファイルを構成するデータ群を文書画像データと定義する。本実施形態では、上記写真画像ファイルとそれ以外の文書画像ファイルは同様の拡張子（例えば．ＪＰＧ拡張子）を持つものとする。ユーザはＰＣ等の個人端末において、専用のアプリケーションを使用し、文章ファイルを文書画像ファイルへ変換することが可能である。例えば、マイクロソフト社製のＭｉｃｒｏｓｏｆｔ  Ｏｆｆｉｃｅ  ＰｏｗｅｒＰｏｉｎｔ（登録商標）の場合について説明する。
【００２６】
この場合、複数のスライドからなる１つのプレゼンテーション用の文章ファイルを、いわゆるスライドごとの画像ファイル（例えば、ＪＰＥＧファイル交換形式）に変換することが可能である。つまりスライド１０枚で構成された１つのプレゼンテーションファイルを、１０個のＪＰＥＧファイルに変換することが可能である。
【００２７】
上記のように作成された文書画像ファイルの特徴は、予定された再生順序、つまり元の文章ファイルのスライドやページの順番で再生し、最後のページに到達して完結する場合が多いということである。
【００２８】
また、本実施形態では、ユーザはリモコン４００を使用し、液晶プロジェクタ１００によりスクリーン１１９に投射されたＵＩ画面を遠隔から操作できる。本発明では、リモコン４００による操作のみに限定されるものではなく、ユーザが液晶プロジェクタ１００の操作部１０３を操作することによっても実現可能である。
【００２９】
図２は、本発明に係る実施形態の液晶プロジェクタの構成を示すブロック図である。
【００３０】
図２において、１０９は液晶プロジェクタ１００全体を制御するシステム制御回路であり、各部からの入力信号やプログラムに基づき、各部を制御する。１０１はシステム制御回路１０９の動作用の定数、変数、画像等を一時的に記憶するメモリである。１０２はシステム制御回路１０９のファームウェアプログラム等を記録した電気的に消去・記録可能な不揮発性メモリである。１０３はシステム制御回路１０９の各種の動作指示を入力するための操作部であり、スイッチやダイアル、タッチパネル、視線検知によるポインティング、音声認識装置等の単数或いは複数の組み合わせで構成される。
【００３１】
１２０はシステム制御回路１０９の各種の動作指示を入力するためのリモコン受光部であり、液晶プロジェクタ１００に付属するリモコン４００からのキーイベント（操作信号）を受信することが可能である。
【００３２】
１０４は電源制御部であり、ＤＣ−ＤＣコンバータ、通電するブロックを切り替えるスイッチ回路等により構成されている。電源制御部１０４は、ＡＣアダプタの検出を行い、検出結果及びシステム制御回路１０９の指示に基づいてＤＣ−ＤＣコンバータを制御し、必要な電圧を必要な期間、ファンを含む各部へ供給する。１０５はＡＣアダプタ等からなる電源部である。
【００３３】
１０７は外部機器とネットワーク接続するためのＥｔｈｅｒｎｅｔ（登録商標） Ｉ／Ｆ（インタフェース）である。液晶プロジェクタ１００の故障等の状態を、液晶プロジェクタ１００を集中管理するシステムに通知することができる。１０６はデジタルカメラ、ＵＳＢメモリ等とＵＳＢ接続するためのＵＳＢ Ｉ／Ｆである。１０８は画像処理部であり、デジタルカメラ、ＵＳＢメモリ等から読み出したＪＰＥＧ画像の表示位置の設定処理や、ファイル名・日付・Ｅｘｉｆ等の情報をオーバーレイする処理を行う。また、処理した画像データを赤（Ｒ）／緑（Ｇ）／青（Ｂ）の３種の色信号からなるＲＧＢ信号にデジタル変換する。
【００３４】
１１１はプロジェクタ映像信号処理回路であり、デジタル化されたＲＧＢ信号を液晶プロジェクタ１００に適した表示信号に変換する信号処理を行う。ここでの信号処理としては、例えば、インターレースプログレッシブ変換処理、フレームレート変換処理、解像度変換処理等が挙げられる。１１０はフレームメモリであり、プロジェクタ映像信号処理回路１１１でプロジェクタに適した表示信号に変換する際の信号処理に使用され、１フレーム以上のＲＧＢ信号を保持することが可能である。１１２は信号レベル調整回路であり、プロジェクタ映像信号処理回路１１１からの出力を液晶プロジェクタの投影する投影画像に適するような信号レベルとするための調整を行う。１１３は液晶ドライバであり、信号レベル調整回路１１２の出力信号に基づいて液晶パネル１１７を駆動する。
【００３５】
１１６はランプであり、スクリーン１１９に投影画像を映し出すための光源である。１１４はランプ１１６に電力を供給する電源部、１１５はランプ駆動回路（バラスト）であり、電源１１４から供給される電力からランプ１１６に供給するための安定した高電圧を発生させる。液晶パネル１１７には、Ｒ／Ｇ／Ｂの各カラーフィルタが接合されており、ランプ１１６により投射された光をＲＧＢの各フィルタに対応して光の透過・遮断を行う。投射レンズ１１８は液晶パネル１１７を通過したＲＧＢの各色画像をスクリーン１１９へ結像させるとともに、投影画像の大きさを変化させる。スクリーン１１９は投影画像を結像させる投影面を提供する。
【００３６】
図３はＵＳＢメモリ２００の構成を示すブロック図である。
【００３７】
図３において、ＵＳＢメモリ２００は、ＵＳＢ接続 Ｉ／Ｆ２０１と、ＣＰＵ２０２と、フラッシュメモリ制御部２０３と、フラッシュメモリ２０４と、ＲＯＭ２０７とを備えている。ＵＳＢ接続Ｉ／Ｆ２０１は、ＵＳＢデバイスとの間で通信を行う。フラッシュメモリ制御部２０３は、ＣＰＵ２０２による制御によりフラッシュメモリ２０４からのデータの読み出し、又はフラッシュメモリ２０４へのデータの書き込みを行う。フラッシュメモリ２０４はページ単位で書き換え可能な不揮発性メモリである。ＲＯＭ２０７は、読み出し専用のメモリであり、ＣＰＵ２０２が実行すべき処理を示すプログラムが格納されている。
【００３８】
図４は液晶プロジェクタのリモコンの外観図である。
【００３９】
リモコン４００は、リモコン発光部４０２、ＰＯＷＥＲボタン４０１、上下左右の方向ボタン４０５〜４０８、ＯＫボタン４１１、フォーカスボタン４０３、ズームボタン４０４、キーストーンボタン４０９、メニューボタン４１０を備える。
【００４０】
リモコン発光部４０２は、リモコン４００のキーイベントを液晶プロジェクタに送出する。ＰＯＷＥＲボタン４０１は、電源の入／切を行う。フォーカスボタン４０３、ズームボタン４０４、キーストーンボタン４０９は、それぞれフォーカス、ズーム、キーストーンの調整を行うためのボタンである。例えば、フォーカスの調整を行う場合には、フォーカスボタン４０３を押し、方向ボタン４０５，４０８を操作して調整を行う。その他の設定や情報の表示は、メニューボタン４１０を押し、方向ボタン４０５〜４０８とＯＫボタン４１１を操作して行うことが可能である。方向ボタン４０５〜４０８はメニュー画面等で上下左右の方向を指定する。ＯＫボタン４１１はメニュー画面等で選択した所定の項目を確定する。リモコン４００が操作されると操作されたボタンに応じたキーイベントが液晶プロジェクタ１００に送出される。
【００４１】
図５はＵＳＢメモリ２００に記録されている画像ファイルのディレクトリ構成を示している。ここで、ＳＬＤ＿で開始されるファイル名を持つファイルは、文書画像ファイルを示す。またＩＭＧ＿で開始されるファイル名を持つファイルは、写真画像ファイルを示すものとする。
【００４２】
本実施形態では、ＲＯＯＴフォルダの下にディレクトリＦ００００、Ｆ１０００、Ｆ２０００が存在するものとする。ディレクトリＦ００００には、ＳＬＤ＿０００１．ＪＰＧ〜ＳＬＤ＿０００Ｎ．ＪＰＧのＮ個の文書画像ファイルが存在する。Ｎは一桁の自然数に限定されるものではない。同様に、ディレクトリＦ１０００には、ＩＭＧ＿１００１．ＪＰＧ〜ＩＭＧ＿１００Ｎ．ＪＰＧのＮ個の写真画像ファイルが存在する。ディレクトリＦ２０００にはＳＬＤ＿２００１．ＪＰＧ〜ＳＬＤ＿２００Ｎ．ＪＰＧの文書画像ファイルと、ディレクトリＦ２１００が存在する。ディレクトリＦ２１００には、ＩＭＧ＿２１０１．ＪＰＧ〜ＩＭＧ＿２１０Ｎ．ＪＰＧの写真画像ファイルが存在するものとする。
【００４３】
図６は液晶プロジェクタにＵＳＢメモリを装着した場合の液晶プロジェクタの動作を示すフローチャートである。
【００４４】
図６において、液晶プロジェクタ１００は、ＵＳＢデバイスの接続を検知すると（Ｓ６０１）、ＵＳＢポートにリセット信号を出力し（Ｓ６０２）、コンフィグレーションを実行する（Ｓ６０３）。コンフィグレーションの際、挿入されたＵＳＢメモリ２００がマスストレージクラスをサポートしているかを問い合わせ、判定する（Ｓ６０３）。具体的には、液晶プロジェクタ１００がＵＳＢメモリ２００のインターフェースディスクリプタを取得することで、ＵＳＢメモリ２００がマスストレージクラスをサポートしているかを判定することが可能である。
【００４５】
ＵＳＢメモリ２００がマスストレージクラスをサポートしていない場合（Ｓ６０４／ＮＯ）、サポートしているクラスに対応する処理を行う（Ｓ６０９）。液晶プロジェクタ１００が取得したクラスをサポートしていない場合、スクリーン１１９にエラー表示を投射することも可能である。
【００４６】
ＵＳＢメモリ２００がマスストレージクラスをサポートしている場合（Ｓ６０４／ＹＥＳ）、液晶プロジェクタ１００はブロックデバイスのマウント処理を開始する（Ｓ６０５）。その後、液晶プロジェクタ１００はファイルオープン処理を行い（Ｓ６０６）、ＵＳＢメモリ２００のフラッシュメモリ２０４に記録されているディレクトリ構成とディレクトリ名の取得を行う（Ｓ６０７）。
【００４７】
本実施形態では、ユーザが操作を行うカレントディレクトリのみの取得を行うものとするが、本発明はカレントディレクトリの取得に限定されるものではなく、全てのディレクトリ構成の取得を行っても構わない。
【００４８】
最後に、液晶プロジェクタ１００は上記探索により得られたディレクトリ名をＵＩ画面に一覧表示する（Ｓ６０８）。
【００４９】
図７は液晶プロジェクタのＵＩ画面の遷移を示す図である。
【００５０】
図６のＳ６０１においてＵＳＢデバイスが接続されていない場合には、図７に示すデバイス未接続画面７０１が表示される。また、図６のＳ６０９においてマスストレージクラスをサポートしないデバイスが接続されたことをユーザに通知する未対応デバイス接続画面７０２を表示する。更に、図６の一連の処理においてエラーが発生した場合には、エラー表示７０３を表示する。また、図６のＳ６０８では、Ｓ６０７で得られたディレクトリ名の一覧表示画面７０４を表示する。
【００５１】
図８は液晶プロジェクタ１００の電源投入後のＵＩ画面を例示している。
【００５２】
図８において、８００はスクリーン１１９に投射されたＵＩ画面を示しており、８０１は液晶プロジェクタ１００がデジタルカメラ及びＵＳＢメモリと接続可能であることを文言で示している。８０２はデジタルカメラと、８０３はＵＳＢメモリと接続可能なことを図で示している。
【００５３】
図９は図６のＳ６０８において表示されるＵＩ画面を例示している。
【００５４】
図９において、９００はＵＳＢメモリ２００が接続された後、図６のＳ６０８での処理により表示される一覧画面であり、ＵＳＢメモリ２００に記録されているディレクトリ名及びファイル名の一覧が表示される。９０１はディレクトリ名及びファイル名の一覧を表示する一覧表示欄である。一覧表示欄９０１には、図５のルートディレクトリにあるディレクトリ名Ｆ００００、Ｆ１０００、Ｆ２０００が一覧表示され、ディレクトリＦ００００がカーソル９０２により選択状態で表示されている。９０３は一覧表示欄９０１で選択されているファイルのサムネイルを表示するためのサムネイル表示欄であり、９０４は同様に選択されているファイル名の属性情報を表示するための属性表示欄である。属性表示欄９０４にはファイル名、ファイルサイズ、撮影日時、解像度等が表示されるが、表示される情報の種別は特にこれらに限定するものではなく、例えば写真画像データのＥｘｉｆ情報に格納されている撮影パラメータ情報等でも良い。Ｅｘｉｆ情報の詳細については後述する。
【００５５】
図１０は、図９のＵＩ画面でディレクトリＦ００００を選択した状態において、ユーザがリモコン４００のＯＫボタン４１１を押下したときの液晶プロジェクタ１００の動作を示すフローチャートである。
【００５６】
ユーザがリモコン４００のＯＫボタン４１１を押下すると、液晶プロジェクタ１００は、ＵＳＢメモリ２００からディレクトリ内のファイルリストを取得する（Ｓ１００１）。これは、液晶プロジェクタ１００がマスストレージでサポートされているコマンドであるＲＥＡＤ（１０）コマンドを発行することにより実現できる。液晶プロジェクタ１００は、上記Ｓ１００１で取得したファイルリストを使用して一覧表示を行う。
【００５７】
次に、取得したファイルリストを解析し、ファイルリストに未表示の画像データがあり、一覧表示欄の最大表示数を超えるまでシーケンシャルに一覧表示処理を継続する（Ｓ１００２、Ｓ１００３）。先ずＵＳＢメモリ２００から画像データを読み込み（Ｓ１００４）、次に読み込んだ画像データが文書画像データか写真画像データかを判定する（Ｓ１００５）。ここでの判定処理については後述する。
【００５８】
画像データが写真画像データであれば（Ｓ１００６）、写真画像データのファイル名を表示する文字列として取得し（Ｓ１００７）、ファイル名を一覧表示欄８０１に表示する（Ｓ１０１１）。文書画像データであれば（Ｓ１００６）、文書画像データのヘッダにタイトルが含まれているか判別する（Ｓ１００８）。タイトルが含まれていればタイトルを表示する文字列として取得し（Ｓ１００９）、タイトル（第１のインデックス情報）を一覧表示欄８０１に表示する（Ｓ１０１１）。また、タイトルが含まれていなければ、ファイル名から拡張子を除いた文字列を表示する文字列として取得し（Ｓ１０１０）、ファイル名（第２のインデックス情報）を一覧表示欄８０１に表示する（Ｓ１０１１）。例えば、ファイル名が「ＳＬＤ＿０００１．ＪＰＧ」であれば、一覧表示欄８０１には「ＳＬＤ＿０００１」と表示される。このときに文書画像データが含まれるディレクトリ名とファイル名から拡張子を除いた文字列と組み合わせた文字列を一覧表示してもよい。例えば、ディレクトリ名が「Ｆ００００」でファイル名が「ＳＬＤ＿０００１．ＪＰＧ」であれば、「Ｆ００００  ＳＬＤ＿０００１」と表示される。
【００５９】
図１１は図１０のＳ１０１１において表示されるＵＩ画面を例示している。
【００６０】
図１１において、１１０１はディレクトリＦ００００内の文書画像データであって、それぞれヘッダにタイトルが含まれている場合の一覧表示欄である。
【００６１】
図１１において、ディレクトリＦ００００内のファイルは、一覧表示欄１１０１に「ＳＬＤ＿０００１．ＪＰＧ」から「ＳＬＤ＿０００Ｎ．ＪＰＧ」のファイル名の順序で並んでおり、それぞれの文書画像データのヘッダに含まれるタイトルが表示される。例えば、文書画像ファイルＳＬＤ＿０００１．ＪＰＧはヘッダにタイトルとして「商品戦略会議」という文字列が含まれており、文書画像ファイルＳＬＤ＿０００２．ＪＰＧは「アジェンダ」であり、一覧表示欄１１０１には各タイトルが表示される。
【００６２】
図１２は図１０のＳ１０１１において表示されるＵＩ画面を例示している。
【００６３】
図１２において、一覧表示欄１２０１にはディレクトリＦ１０００内の写真画像データのファイル名がファイル名順で表示される。図１２のＵＩ画面は、図１０のフローに従い、写真画像データであれば（Ｓ１００６）、写真画像データのファイル名を表示する文字列として取得し（Ｓ１００７）、ファイル名が一覧表示欄に表示される（Ｓ１０１１）。
【００６４】
図１３は図１１のＵＩ画面において、ユーザがリモコン４００の下方向ボタン４０８を押下した際の、液晶プロジェクタ１００の動作を示すフローチャートである。
【００６５】
図１３において、液晶プロジェクタ１００は、ＵＳＢメモリ２００から画像ファイルの取得を行う（Ｓ１３０１）。液晶プロジェクタ１００は、取得した画像ファイルをメモリ１０１に保持する。液晶プロジェクタ１００は、図１０のＳ１００１において、ファイルリストの先頭のファイル名を持つ画像ファイルの取得を行う。液晶プロジェクタ１００は取得した画像ファイルのデコード処理を行い（Ｓ１３０２）、ＪＰＥＧ画像データをＲＧＢ画像データに変換し、メモリ１０１に保持する。デコード処理では、ＪＰＥＧ画像データをＹＵＶ画像データに変換しても構わない。ＲＧＢ画像データへの変換のみに限定されるものではない、デコード処理は、従来のＪＰＥＧ復号化アルゴリズム手法を用いる。例えば、以下の方法を行うことにより実現可能である。
【００６６】
液晶プロジェクタ１００は、ＪＰＥＧ圧縮データをハフマン符号復号にて周波数成分の画像データへ変換し、逆量子化で下げられた全周波数のレベルを元に戻す。次に逆ＤＣＴ変換で画像データの周波数成分を空間成分へ変換し、元の画像データへ復元する。ハフマン符号復号と逆量子化では圧縮処理で使用した量子化テーブルとハフマンテーブルを使用することにより、各々元のデータへ戻すことができる。
【００６７】
次に、液晶プロジェクタ１００は、Ｓ１３０２にて生成されたＲＧＢ画像データのリサイズ処理を行い（Ｓ１３０３）、スクリーン１１９に投射するための表示処理を行う（Ｓ１３０４）。リサイズ処理では、スクリーン１１９に投射するのに最適な画像サイズへの調整を行う。
【００６８】
図１４は図１１のＵＩ画面において、ユーザがリモコン４００の下方向ボタン４０８を押下した際の、液晶プロジェクタ１００のＵＩ画面を例示している。
【００６９】
図１４において、ディレクトリＦ００００内のＳＬＤ＿０００１．ＪＰＧが選択された状態で（図中１４０１）、液晶プロジェクタ１００は、図１３のＳ１３０４の表示処理を行い、サムネイルをサムネイル表示欄１４０２に表示する。また、液晶プロジェクタ１００は、ＳＬＤ＿０００１．ＪＰＧの画像ファイルの付加情報を属性表示欄１４０３に表示する。
【００７０】
次に、図７を参照して図１４のＵＩ画面においてユーザがリモコン４００のＯＫボタン４１１を押下した際の画面遷移について説明する。
【００７１】
図７において、７０４は、図１４のＵＩ画面である。７０５は、７０４に表示されている文書画像データをリサイズして、全画面表示したものである。７０５の全画面表示状態において、ユーザがリモコン４００のＯＫボタン４１１を押下した場合、７０４のＵＩ画面に遷移する。また、全画面表示７０５ではリモコン４００の左方向ボタン４０６と右方向ボタン４０７を操作して、それぞれ表示されている画像データの左９０度回転と右９０度回転操作を行うことが可能である。また、上方向ボタン４０５と下方向ボタン４０８を押下することで、それぞれ表示されている画像データの前の画像データと次の画像データを表示させることが可能である。なお、前の画像データ及び次の画像データの表示処理中に、７０６のように表示処理中を示すプログレス表示を行っても良い。
【００７２】
次に、文書画像データと写真画像データの判定方法について説明する。
【００７３】
なお、文書画像データは、撮影時の付加情報等を記録する必要がないため、ＪＦＩＦ規格のＪＰＥＧ圧縮ファイル構造で記録されている。また、写真画像データは、デジタルカメラ等の撮像装置で撮影された時に、撮影日時等の付加情報を持つＥｘｉｆ圧縮ファイル構造で記録されている。
【００７４】
本実施形態では、上記ファイル構造の差異を利用して、文書画像データか写真画像データかを判定している。
【００７５】
図１５は、Ｅｘｉｆ規格の圧縮ファイル構造を示している。
【００７６】
図１５において、１５０１はＪＰＥＧ圧縮データのファイル構造であり、ファイルの先頭を表すＳＯＩマーカ直後にアプリケーションマーカセグメント（ＡＰＰ１）を挿入し、ＡＰＰ１にＥｘｉｆの付加情報を記述する。１５０２はＡＰＰ１の内部の構成であり、ＡＰＰ１はＡＰＰ１マーカ、Ｅｘｉｆ識別コード１５０３、及び付属情報本体から構成される。付属情報は、Ｆｉｌｅ Ｈｅａｄｅｒを含むＴｉｆｆ構造を有し、最大２つのＩＦＤ（０ｔｈ ＩＦＤ，１ｓｔ ＩＦＤ）を記録できる。０ｔｈ ＩＦＤには、圧縮されている画像（主画像）に関する付属情報を記録する。１ｓｔ ＩＦＤには、サムネイルデータを記録することができる。０ｔｈ ＩＦＤにＥｘｉｆ固有の付属情報を記録するためＥｘｉｆ ＩＦＤが存在する。Ｅｘｉｆ ＩＦＤの付属情報は、バージョンに関するものから始まりユーザ情報を記録することができる（１５０４）。例えば、露出時間・Ｆ値・ＩＳＯ感度・Ｔｖ・Ａｖ・焦点距離・測光方式・撮影日・画像圧縮比・コメント等が存在する。ユーザ情報内にメーカノート領域があり、メーカノート領域にはメーカが個別の情報を記入し、運用はメーカに任せられている。
【００７７】
図１６は、ＪＦＩＦ規格のＪＰＥＧ圧縮ファイル構造を示している。
【００７８】
図１６において、１６０１にはＪＦＩＦヘッダを示すＡＰＰ０の後に、アプリケーションマーカセグメント（ＣＯＭ）を挿入し、アプリケーションの付加情報を記述する。１６０２は、ＣＯＭの内部の構成であり、ＣＯＭはＣＯＭマーカ、ＣＯＭ長、及びコメント部分から構成される。ユーザがＰＣ等の個人端末において、専用のアプリケーションを使用し、文書画像ファイルを作成する際に、コメント部分にアプリケーション名を記述することができる。例えば、マイクロソフト社製のＭｉｃｒｏｓｏｆｔ  Ｏｆｆｉｃｅ  ＰｏｗｅｒＰｏｉｎｔ（登録商標）や同Ｗｏｒｄ（登録商標）では、Ｓｏｆｔｗａｒｅ：Ｍｉｃｒｏｓｏｆｔ  Ｏｆｆｉｃｅという文字列がＣＯＭのコメント部分に記載される。
【００７９】
本例では、ユーザがＰＣ等の個人端末にて、専用のアプリケーションを使用して文章ファイルからページ毎に文書画像ファイルへ変換する際に、文書画像ファイルのアプリケーションマーカセグメント（ＣＯＭ）のコメント部分にページのタイトルを書き込む。
【００８０】
図１７は、文書画像データか写真画像データかを判定する処理を示すフローチャートである。
【００８１】
図１７において、液晶プロジェクタ１００は、画像データの読み出しを行い（Ｓ１７０１）、Ｅｘｉｆ識別コードの検出を行う（Ｓ１７０２）。
【００８２】
次に、液晶プロジェクタ１００は、Ｅｘｉｆ識別コードの検出が行えたか否かを判定し（Ｓ１７０３）、Ｅｘｉｆ識別コードが検出できたと判定した場合、写真画像データと判定する（Ｓ１７１０）。また、Ｅｘｉｆ識別コードが検出できなかったと判定した場合、アプリケーションマーカセグメント（ＣＯＭ）を探索する（Ｓ１７０４）。ＣＯＭマーカが存在する場合（Ｓ１７０５）、コメントを取得し（Ｓ１７０６）、コメントからドキュメント作成アプリケーション名を検出する（Ｓ１７０７）。具体的には、ドキュメント作成アプリケーションがマイクロソフト社製のＭｉｃｒｏｓｏｆｔ  Ｏｆｆｉｃｅ  ＰｏｗｅｒＰｏｉｎｔ（登録商標）ならば、Ｍｉｃｒｏｓｏｆｔ  Ｏｆｆｉｃｅ  ＰｏｗｅｒＰｏｉｎｔ（登録商標）という文字列を検出する。本実施形態では、液晶プロジェクタ１００は予めアプリケーション名の文字列を保持し、ＣＯＭマーカに含まれる文字列と照合することで、ドキュメント作成アプリケーション名を検出することが可能である。
【００８３】
液晶プロジェクタ１００が、ドキュメント作成アプリケーション名を検出できた場合（Ｓ１７０８）、文書画像データと判定する（Ｓ１７０９）。
【００８４】
アプリケーションマーカセグメント（ＣＯＭ）は複数記述されることがあるため、ＣＯＭマーカが存在している間、探索を繰り返す。
【００８５】
以上が、本実施形態において写真画像データか文書画像データかを判定する方法である。上記実施形態によれば、液晶プロジェクタ１００がＵＳＢメモリ２００に格納されたデータを一覧表示する際にファイルの属性を判定し、写真画像であればファイル名を一覧表示する。文書画像であればページのタイトルを一覧表示する。これにより、ユーザはファイル名やサムネイルのみでは内容を推測できない文章ファイルを容易に判別することが可能となる。また、常にファイル名とタイトルとを表示する場合と比較し、限られた表示領域を有効利用することができ、より多くの画像ファイルを一覧表示することが可能となる。
【００８６】
また、本実施形態では、Ｅｘｉｆフィールドがあれば写真画像データと判定しているが、これに限定されものではない。また、本実施形態では、Ｅｘｉｆフィールドがなくアプリケーションマーカセグメント（ＣＯＭ）のコメントから文書画像データのドキュメント作成アプリケーション名を検出できたら文書画像データと判定しているが、それに限定されるものではない。例えば、文書画像データもＥｘｉｆ圧縮ファイル構造で作成されており、文書画像データのタイトルをＥｘｉｆフィールドに格納している場合には、文書画像データか写真画像データかの判定を上記以外の方法で行う必要がある。この場合には画像がどのようなデバイスから得られたのかを示すＥｘｉｆフィールドのＦｉｌｅ Ｓｏｕｒｃｅから両者を判別してもよいし、他の値から両者を区別することも可能である。また画像解析を行って写真画像データと文書画像データを判定してもよい。
【００８７】
［第２の実施形態］
次に、本発明に係る第２の実施形態について図１８を参照して説明する。ここでは上述した第１の実施形態との差異を中心に説明を行う。
【００８８】
図１８は第２の実施形態のＵＩ画面を例示している。
【００８９】
本実施形態では、カレントディレクトリには文書画像データ「ＳＬＤ＿０００１．ＪＰＧ」〜「ＳＬＤ＿０００９．ＪＰＧ」が格納されている。各文書画像データのヘッダにはタイトルを示す文字列「Ｗｏｒｌｄ Ｆｌａｔ Ｐａｎｅｌ Ｄｉｓｐｌａｙ Ｍａｒｋｅｔｓ」、「Ａｇｅｎｄａ」、「Ｂａｃｋｇｒｏｕｎｄ」、「Ｏｖｅｒｖｉｅｗ」〜「Ｆｏｒｅｃａｓｔ ２０１２」が含まれている。
【００９０】
ここで、第１の実施形態による一覧表示処理（図１０）と文書画像データと写真画像データの判定処理（図１７）に従い、文書画像データのサムネイル１８０１Ａ〜１８０９Ａの近傍に文書画像データのタイトル１８０１Ｂ〜１８０９Ｂが表示される。
【００９１】
第２の実施形態によれば、ＵＳＢメモリ２００に格納された画像データのサムネイルを一覧表示する際にファイルの属性を判定し、写真画像データならばサムネイルの近傍にファイル名を表示する。文書画像ならばサムネイルの近傍にページのタイトルを表示する。これにより、例えばプレゼンテーション用の画像データのような文字の多い画像データを一覧表示した場合でも、ユーザはサムネイルの近傍のタイトルを見ることで、文書画像データの内容を大まかに把握することができる。
【００９２】
［第３の実施形態］
次に、本発明に係る第３の実施形態について図１９を参照して説明する。ここでは上述した第１の実施形態との差異のみ説明を行う。
【００９３】
本実施形態では特に、写真画像ファイルと文書画像ファイルとがＵＳＢメモリ２００に混在して記録されている場合について説明する。
【００９４】
本実施形態における液晶プロジェクタ１００は、図５に示す第１の実施形態とは異なるディレクトリ構造を有する。具体的には、文書画像データ（ＳＬＤ＿０００１．ＪＰＧ〜ＳＬＤ＿００N．ＪＰＧ）と写真画像データ（ＩＭＧ＿０００１．ＪＰＧ〜ＩＭＧ＿０００N．ＪＰＧ）が同一ディレクトリ内に混在しているものとする。
【００９５】
本実施形態におけるＵＩ画面の一例を図１９に示す。図１９において、文書画像データ（ＳＬＤ＿０００１．ＪＰＧ〜ＳＬＤ＿０００６．ＪＰＧ）のヘッダには、それぞれタイトル「商品戦略会議」、「アジェンダ」、〜、「オリンピックの影響」が含まれているものとする。
【００９６】
ここで、第１の実施形態による一覧表示処理（図１０）と文書画像データと写真画像データの判定処理（図１７）に従い、一覧表示欄１９０１には文書画像データのタイトル（「商品戦略会議」、「アジェンダ」、〜、「オリンピックの影響」）が表示される。また、写真画像データ（ＩＭＧ＿０００１．ＪＰＧ〜ＩＭＧ＿０００６．ＪＰＧ）についてはファイル名が表示される。
【００９７】
本実施形態によれば、同一ディレクトリに文書画像データと写真画像データが混在している場合であっても、文書画像データはそのタイトルを一覧表示するため、ユーザは一見して大まかな内容を把握することが可能となる。
【００９８】
なお、本実施形態では、写真画像データについてはファイル名を一覧表示するように説明したが、これに限定されるものではない。例えば、写真画像データについて、撮影日時や撮影情報といった写真画像データのＥｘｉｆフィールドに含まれる他の情報を表示することも可能である。
【００９９】
［第４の実施形態］
次に、本発明に係る第４の実施形態について図２０及び図２１を参照して説明する。ここでは上述した第１の実施形態との差異のみ説明を行う。
【０１００】
本実施形態では特に、文書画像ファイルのタイトルが文書画像ファイルのヘッダではなく、ＵＳＢメモリ２００に格納されたインデックスファイルに記述されている例である。
【０１０１】
インデックスファイルとは、画像ファイルなどとは別のファイルであり、出力などの処理の対象となる画像ファイルや、処理の順番などを記述したファイルである。インデックスファイルの例として、例えばＤＰＯＦ（Ｄｉｇｉｔａｌ  Ｐｒｉｎｔ  Ｏｒｄｅｒ  Ｆｏｒｍａｔ）ファイルがある。
【０１０２】
図２０は複数の文書画像ファイルのリストを記述したインデックスファイルを例示している。
【０１０３】
図２０において、インデックスファイル２００１には各文書画像ファイル２００３〜２００６のタイトルが「ＣＦＧ ＤＳＣ “Ｆｒｏｎｔ Ｐａｇｅ” ？ＡＴＲ ＣＭＴ」〜「ＣＦＧ ＤＳＣ “Ｉｓｓｕｅ” ？ＡＴＲ ＣＭＴ」で設定されている。「ＩＭＧ  ＳＲＣ＝」では、ＵＳＢメモリ２００に格納されている文書画像ファイル（２００３〜２００６）へのパスが指定されている。
【０１０４】
本例では、ユーザがＰＣ等の個人端末にて、専用のアプリケーションを使用して文章ファイルからページ毎に文書画像ファイルへ変換する。この際ＰＣは、文書画像ファイルをＵＳＢメモリ２００に格納する際に、文書画像ファイルのページごとのタイトルをインデックスファイル２００１に書き込む。
【０１０５】
図２１は、図９のＵＩ画面でディレクトリＦ００００を選択した状態において、ユーザがリモコン４００のＯＫボタン４１１を押下したときの液晶プロジェクタ１００の動作を示すフローチャートである。
【０１０６】
図２１において、図９のＵＩ画面でディレクトリＦ００００を選択した状態において、ユーザがリモコン４００のＯＫボタン４１１を押下すると、液晶プロジェクタ１００は、ＵＳＢメモリ２００からインデックスファイルを取得する（Ｓ２１０１）。これは、液晶プロジェクタ１００がマスストレージでサポートされているコマンドであるＲＥＡＤ（１０）コマンドを発行することにより実現できる。液晶プロジェクタ１００は、上記Ｓ２１０１で取得したファイルリストを使用して一覧表示を行う。
【０１０７】
次に、取得したファイルリストを解析し、インデックスファイルに未表示の画像データがあり、一覧表示欄の最大表示数を超えるまでシーケンシャルに一覧表示処理を継続する（Ｓ２１０２、Ｓ２１０３）。先ずＵＳＢメモリ２００から画像データを読み込み（Ｓ２１０４）、次に読み込んだ画像データが文書画像データか写真画像データかを判定する（Ｓ２１０５）。この判定処理は第１の実施形態と同様である。
【０１０８】
画像データが写真画像データであれば（Ｓ２１０６）、写真画像データのファイル名を表示する文字列として取得し（Ｓ２１０７）、ファイル名を一覧表示欄９０１に表示する（Ｓ２１１１）。文書画像データであれば（Ｓ２１０６）、インデックスファイル２００１にタイトルが含まれているか判別する（Ｓ２１０８）。タイトルが含まれていればタイトルを表示する文字列として取得し（Ｓ２１０９）、タイトルを一覧表示欄８０１に表示する（Ｓ２１１１）。例えば、文書画像データ「ＳＬＤ＿０００１．ＪＰＧ」（２００３）はタイトルとして「Ｆｒｏｎｔ Ｐａｇｅ」が表示される。
【０１０９】
また、タイトルが含まれていなければ、ファイル名から拡張子を除いた文字列を表示する文字列として取得し（Ｓ２１１０）、タイトルの代わりにファイル名を一覧表示欄８０１に表示する（Ｓ２１１１）。例えば、ファイル名が「ＳＬＤ＿０００１．ＪＰＧ」であれば、一覧表示欄９０１には「ＳＬＤ＿０００１」と表示される。このときに文書画像データが含まれるディレクトリ名とファイル名から拡張子を除いた文字列と組み合わせた文字列を一覧表示してもよい。例えば、ディレクトリ名が「Ｆ００００」でファイル名が「ＳＬＤ＿０００１．ＪＰＧ」であれば、「Ｆ００００  ＳＬＤ＿０００１」と表示される。上記Ｓ２１１１にて表示されるＵＩ画面は図１１の通りである。
【０１１０】
第４の実施形態においても、第１の実施形態と同様の効果を得ることができる。
【０１１１】
なお、上記第１乃至第４の各実施形態を適宜組み合わせる、あるいは一部のみを組み合わせることも可能である。
【０１１２】
［他の実施形態］
本発明はプロジェクタを例として説明したが、他の画像再生装置、例えばテレビなどに適用することも可能である。
【０１１３】
本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（ＣＰＵやＭＰＵ）が記憶媒体に格納されたプログラムコードを読み出し実行することによっても、達成されることは言うまでもない。
【０１１４】
この場合、記憶媒体から読み出されたプログラムコード自体が前述した実施形態の機能を実現することになり、そのプログラムコードを記憶した記憶媒体は本発明を構成することになる。
【０１１５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭ等を用いることができる。また、コンピュータが読み出したプログラムコードを実行することにより、前述した実施形態の機能が実現される場合もある。
【０１１６】
しかし、さらにプログラムコードの指示に基づき、コンピュータ上で稼動しているＯＳ（オペレーティングシステム）等が実際の処理の一部または全部を行い、その処理によって前述した実施形態の機能が実現される場合も含まれることは言うまでもない。
【０１１７】
さらに、記憶媒体から読み出されたプログラムコードが、コンピュータに挿入された機能拡張ボードやコンピュータに接続された機能拡張ユニットに備わるメモリに書き込まれる場合も有得る。その後、プログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【図面の簡単な説明】
【０１１８】
【図１】本発明に係る実施形態の画像再生装置の構成を示す図である。
【図２】本発明に係る実施形態の液晶プロジェクタの構成を示すブロック図である。
【図３】本発明に係る実施形態のＵＳＢメモリの構成を示すブロック図である。
【図４】本発明に係る実施形態のリモコンの外観図である。
【図５】本発明に係る第１の実施形態のディレクトリ構成を示す図である。
【図６】本発明に係る第１の実施形態の液晶プロジェクタにＵＳＢメモリを接続した際の動作を示すフローチャートである。
【図７】本発明に係る第１の実施形態のＵＩ画面の遷移を示す図である。
【図８】本発明に係る第１の実施形態のＵＩ画面を示す図である。
【図９】本発明に係る第１の実施形態のＵＩ画面を示す図である。
【図１０】本発明に係る第１の実施形態における液晶プロジェクタの動作を示すフローチャートである。
【図１１】本発明に係る第１の実施形態のＵＩ画面を示す図である。
【図１２】本発明に係る第１の実施形態のＵＩ画面を示す図である。
【図１３】本発明に係る第１の実施形態における液晶プロジェクタの動作を示すフローチャートである。
【図１４】本発明に係る第１の実施形態のＵＩ画面を示す図である。
【図１５】Ｅｘｉｆ規格のＪＰＥＧ圧縮ファイル構造を示す図である。
【図１６】ＪＦＩＦ規格のＪＰＥＧ圧縮ファイル構造を示す図である。
【図１７】本発明に係る第１の実施形態における液晶プロジェクタの動作を示すフローチャートである。
【図１８】本発明に係る第２の実施形態のＵＩ画面を示す図である。
【図１９】本発明に係る第３の実施形態のＵＩ画面を示す図である。
【図２０】本発明に係る第４実施形態のインデックスファイルの構造を示す図である。
【図２１】本発明に係る第４実施形態の液晶プロジェクタの動作を示すフローチャートである。
【図２２】従来の液晶プロジェクタのＵＩ画面を例示する図である。
【図２３】従来の液晶プロジェクタのＵＩ画面を例示する図である。
【符号の説明】
【０１１９】
１００  液晶プロジェクタ
１０１  メモリ
１０２  不揮発性メモリ
１０３  操作部
１０４  電源制御部
１０５  電源部
１０６  ＵＳＢ Ｉ／Ｆ
１０８  画像処理回路
１０９  システム制御回路
１１０  フレームメモリ
１１１  プロジェクタ映像信号処理回路
１１２  信号レベル調整回路
１１３  液晶ドライバ
１１５  ランプ駆動回路（バラスト）
１１６  ランプ
１１７  液晶パネル
１１８  投射レンズ
１１９  スクリーン
１２０  リモコン受光部
２００  ＵＳＢメモリ
４００  リモコン
【図１】
2009282633.tif 000003
【図２】
2009282633.tif 000004
【図３】
2009282633.tif 000005
【図４】
2009282633.tif 000006
【図５】
2009282633.tif 000007
【図６】
2009282633.tif 000008
【図７】
2009282633.tif 000009
【図８】
2009282633.tif 000010
【図９】
2009282633.tif 000011
【図１０】
2009282633.tif 000012
【図１１】
2009282633.tif 000013
【図１２】
2009282633.tif 000014
【図１３】
2009282633.tif 000015
【図１４】
2009282633.tif 000016
【図１５】
2009282633.tif 000017
【図１６】
2009282633.tif 000018
【図１７】
2009282633.tif 000019
【図１８】
2009282633.tif 000020
【図１９】
2009282633.tif 000021
【図２０】
2009282633.tif 000022
【図２１】
2009282633.tif 000023
【図２２】
2009282633.tif 000024
【図２３】
2009282633.tif 000025